(57)【特許請求の範囲】
【請求項１】
回転半径が小さい浅耕爪５３の後に植込杆４３が配置されて浅耕爪５３が浅く耕起してできた巾狭の浅帯部Ａに苗が移植され、回転半径が大きい深耕爪５５の後に散布管６１が配置されて深耕爪５５が深く耕起してできた巾狭の深帯部Ｂに肥料が散布され、浅耕爪５３の横に深耕爪５５が配置されて浅帯部Ａと深帯部Ｂが連続して形成されることを特徴とする苗植機。
【発明の詳細な説明】
【０００１】
【発明の属する技術分野】
この発明は、地表の１部を帯状に耕起しながら、その耕起した所に苗を移植する苗植機に用いるものである。
【０００２】
【従来の技術】
不耕起栽培と称し、地表の１部のみを帯状に耕起し、この耕起された位置に苗を移植して育てる栽培方法が用いられている。そのため、植込杆と散布管のそれぞれの前方に回転半径の小さな浅耕爪と、回転半径の大きな深耕爪を配置し、それぞれが作った浅帯部と深帯部に苗の移植と肥料の散布を行うもの（図４）が提案されている。
【０００３】
【発明が解決しようとする課題】
ここに、従来のものは、肥料が散布された深帯部が、苗が移植された浅帯部から、耕起されていない硬い壁で分離されていたので、移植初期の苗の根に肥料が施されず、苗の初期成育に課題があった。
【０００４】
【課題を解決するための手段】
この発明は、上記の課題を解決するため、回転半径が小さい浅耕爪５３の後に植込杆４３が配置されて浅耕爪５３が浅く耕起してできた巾狭の浅帯部Ａに苗が移植され、回転半径が大きい深耕爪５５の後に散布管６１が配置されて深耕爪５５が深く耕起してできた巾狭の深帯部Ｂに肥料が散布され、浅耕爪５３の横に深耕爪５５が配置されて浅帯部Ａと深帯部Ｂが連続して形成されることを特徴とする苗植機とした。
【０００５】
【実施例】
つぎに、この発明の実施例を説明する。
図１のように、走行車体１の後に苗植装置２が取付けられて苗植機となり、これに耕起装置３と施肥装置４が装着されている。
走行車体１がつぎのように構成されている。フレーム５の前部に主歯車箱６が固定され、その後のエンジン７の回転動力が調帯８で導入されている。伝動ケース９が主歯車箱６の中央から下に伸び、１対の駆動軸１０がその下端から左右に突出している。１対のクローラフレーム１１の前端がそれぞれの駆動軸１０に回動自在に取付けられ、それぞれの後部が支杆１２でフレーム５に連結されている。１対の動輪１３がそれぞれの駆動軸１０に固定され、１対の従動輪１４がそれぞれのクローラフレーム１１の後端に従動軸１５で回転自在に取付けられ、前後の動輪１３と従動輪１４に履帯１６が巻き掛けられている。それぞれの履帯１６は、前後の転輪１７，１８で転倒した台形状に張られ、その下辺が４個の中間転輪１９で浮上り防止が施されている。
【０００６】
座席２０がエンジン７の上に取付けられ、その前の操縦ボックス２１の左右に主変速レバー２２と副変速レバー２３が設けられ、その上面から左右１対の操縦杆２４が突出している。主歯車箱６内に導入された前記のエンジン７の回転動力は、その中の主変速装置、副変装置、およびクラッチを経由してそれぞれの駆動軸１０に達し、動輪１３が履帯１６を旋回させて走行車体１が進行する。そして、主変速レバー２２の操作で主変速装置による早い路上走行速と遅い作業速が選択され、副変速レバー２３で副変速装置が操作されて上記の速度がさらに所望の速度（後進を含む）に変速される。左又は右の操縦杆２４を後に引くと、クラッチが左又は右の駆動軸１０に伝わっている回転動力を遮断し、さらに引くと、左又は右の履帯１６に制動が掛けられて走行車体１の進路が変わる。
【０００７】
支柱２５がフレーム５の後部から上に伸び、上下で平行な１対のリンク２６の両端がこれと後の縦枠２７に回動自在に取付けられている。油圧シリンダ２８の前端がフレーム５に取付けられ、ピストンロッド２９がこれから斜後上に突出し、上のリンク２６と一体のアーム２６ａの下端とその突端が接続している。そして、弁が油路を切替えて、ポンプが吐出した油が油圧シリンダ２８に入ると、ピストンロッド２９が突出して縦枠２７が上昇し、その油がタンクに戻ると、縦枠２７が下降する。
【０００８】
苗植装置２がつぎのように構成されている。取付枠３０が縦枠２７の後に着脱自在に取付けられ、その下端に苗植ケース３１がローリング軸３２で左右に揺動自在に取付けられている。１対のスリーブ３３が苗植ケース３１から左右に突出し（図２）、それぞれから３本の苗植フレーム３４が後に伸びている。断面がＬ型をした横長の苗受板３５が苗横フレーム３４に固定されている。左右の苗植フレーム３４の前部から１対の支柱３６が上に伸び、その先にスライダ３７が取付けられている。前上りに傾斜した苗載台３８がスライダ３７と苗受板３５で左右に摺動自在に支えられ、エンジン７の回転動力で左右に往復駆動されるように出来ている。なお、エンジン７の回転動力は、主歯車箱６右側から第１ＰＴＯ軸（図示していない）で取出され、プロペラシャフト３９でローリング軸３２の右の入力軸４０に達し（図２）、苗植ケース３１内のリードカムで往復運動に変えられて横移動棒４１で苗載台３８に伝わる。その苗載台３８には、６枚のマット苗が横並びに載せられ、それぞれの下端が苗受板３５上に突出して左右に移動する。
【０００９】
回転ケース４２がそれぞれの苗植フレーム３４の後端の両横に取付けられ、苗植ケース３１内の回転動力が苗植フレーム３４内を通って到達し、中央の横軸回りに反時計方向に回転している。１対の植込杆４３がそれぞれの回転ケース４２に対称位置に取付けられ、その中の遊星歯車により、上記の回転中に同じような姿勢を保って旋回し、下降の初期に苗受板３５の苗取口を交互に通過して、マット苗の端から１株分の苗を欠ぎ取り、下端で地表に移植するように出来ている。従って、これらが通過すると、地表に６条の苗列が形成される。
【００１０】
３枚のフロート４４がそれぞれの苗植フレーム３４の下に取付けられ、地表を滑走するようになっている。それぞれのフロート４４の前端が横に張出し、それぞれの張出部４４ａの後で植込杆４３が苗を移植する。
図２のように、それぞれの履帯１６Ｌ，１６Ｒの表面に滑止め用のラグ４５が設けられている。それぞれの履帯１６Ｌ，１６Ｒにおけるラグ４５は、中央部４５ａを空けるようにして左右２列に配置され、ラグ４５の無い中央部４５ａの後に外側から２つ目の苗列が形成され、ラグ４５の後に条間が来るように設けられている。すなわち、ラグ４５が通った後に苗を移植すると、ラグ４５が作った凹部に移植される苗が浅植えとなって活着その他に課題がある。これを解消するため、履帯の横巾を条間よりも狭くしてその前に配置すると、履帯の面積が縮小して接地圧が低下し、苗植機が沈没するおそれがある。上記の構成によると、これらの課題が解消される。
【００１１】
耕起装置３がつぎのように構成されている。縦長の耕耘ケース４６が苗植ケース３１の左前方に配置され、支杆４７で固定されている。耕耘軸４８がその下端から左右に突出し、スリーブ３３の両端から前に伸びる１対のアーム４９で両端が回転自在に支えられている。エンジン７の回転動力が、主歯車箱６の左側の第２ＰＴＯ軸５０、プロペラシャフト５１および入力軸５２を通って耕耘ケース４６に入り、耕耘軸４８を反時計方向に回すように出来ている。入力軸４０，５２は、ローリング軸３２の左右においてそれぞれ逆方向に回転し、それぞれの反力で苗植装置２がローリング軸３２の回りに回動しようとするのを互に打ち消すようになっている。
【００１２】
それぞれの植込杆４３の前方で耕耘軸４８に回転半径が小さい浅起爪５３が固定され、その回転で地表を浅く耕起し、走行車体１の前進で巾狭の浅帯部Ａを作り、この浅帯部Ａに苗が移植されるように出来ている。
植込杆４３の横においてそれぞれの張出部４４ａの後縁に作溝器５４が取付けられている。それぞれの作溝器５４の前方で耕耘軸４８に回転半径が大きい深起爪５５が固定され、その回転で地表を深く耕起し、走行車体１の前進で巾狭の深帯部Ｂを作り、この深帯部Ｂに作溝器５４が施肥溝を作るように出来ている。浅帯部Ａと深帯部Ｂは、左右に接続して形成される。それぞれの組の浅起爪５３と深起爪５５は、上部がカバー（図示していない）で被われる。
【００１３】
耕起ケース４６にわら屑案内杆５６を図５，図６のように設けることができる。わら屑案内杆５６が弾性のある細い丸棒又は帯状の板で作られ、その１端がボルト５７で耕耘ケース４６の側面の比較的高い位置に固定されている。この杆５６は、これから前に伸びたのち、横に曲がって耕耘ケース４６の前方に来て下に伸びている。そして、横から見て、下に伸びるに従って、ゆるやかに後に曲り、下端が耕耘ケース４６の下方に達している。この種の苗植機は、水田で多く用いられる。その水田には、秋に収穫された稲のわらが播き散らされている。そのため、耕耘ケース４６の前面が垂直状に構成されると、作業中にわら屑が耕耘ケース４６の前にたまり、苗の移植に支障をまねくことがあった。これに対し、上記の構成によると、地表に播き散らされているわら屑が、耕耘ケース４６の前進にともなって、弾性のあるわら屑案内杆５６で押し下げられながら耕耘ケース４６の下を通過し、耕耘ケース４６の前面にたまることがなくなった。
【００１４】
施肥装置４がつぎのように構成されている。繰出部５８が座席２０の後で支柱２５に固定され、その上にタンク５９が設けられている。繰出ロータ５８ａが繰出部５８内に設けられ、エンジン７の動力で回転してタンク５９内の肥料を下の６本の移送管６０に繰出すようになっている。６本の散布管６１の下端がそれぞれの作溝器５４内に配置され、その上端と移送管６０の後端がフレキシブルチューブ６２で連結されている。移送管６０に繰り出された上記の肥料が、ブローア６３から吹き出された風でフレキシブルチューブ６２内を送られ、それぞれの散布管６１の下端から、作溝器５４が作った前記の施肥溝に散布されるようになっている。
【００１５】
【効果】
以上のように、この発明によると、地表に作られた浅帯部Ａと深帯部Ｂが左右に連結して形成され、両者の間に硬い壁が無いから、深帯部Ｂに散布された肥料が浅帯部Ａに移植された苗の根に初期から有効に作用し、その苗の初期生育が良好になった。なお、肥料は、深帯部Ｂの深い位置に散布され、苗の根に接触しないので、肥料やけをまねくおそれもない。
【図面の簡単な説明】
【図１】この発明を施した苗植機の側面図。
【図２】その１部の拡大した平面図。
【図３】その苗植機が苗を移植した地表の１部の切断正面図。
【図４】従来の苗植機が苗を移植した地表の１部の切断正面図。
【図５】その苗植機の１部の拡大した側面図。
【図６】その正面図。
【符号の説明】
４３    植込杆
５３    浅起爪
５５    深起爪
６１    散布管
Ａ    浅帯部
Ｂ    深帯部
【図１】
0003591127.tif 000002
【図２】
0003591127.tif 000003
【図３】
0003591127.tif 000004
【図４】
0003591127.tif 000005
【図５】
0003591127.tif 000006
【図６】
0003591127.tif 000007